(57)【特許請求の範囲】
【請求項１】
情報処理装置であって、
画面を表示する表示手段と、
前記表示手段に表示される画面の表示色をＲＧＢ反転する設定を行う設定手段と、
前記設定手段によって画面の表示色をＲＧＢ反転する設定がされた場合、前記表示手段に表示される画面を構成する複数の要素のうち、実写動画でない第１の要素の表示色をＲＧＢ反転させて表示し、実写動画である第２の要素の表示色をＲＧＢ反転させずに表示する表示制御手段と、
を有することを特徴とする情報処理装置。
【請求項２】
前記表示制御手段は、実写動画である前記第２の要素の再生速度を、前記設定手段によりＲＧＢ反転する設定が行われていない時よりも遅くするよう制御することを特徴とする請求項１記載の情報処理装置。
【請求項３】
前記表示制御手段は、実写動画である前記第２の要素をイラスト画像に切り替えて表示することを特徴とする請求項１記載の情報処理装置。
【請求項４】
前記表示制御手段は、実写動画である前記第２の要素をイラストによるアニメーションに切り替えて表示することを特徴とする請求項１記載の情報処理装置。
【請求項５】
前記第２の要素は、前記情報処理装置がエラー状態になった時に表示される、当該エラーの解決方法を示す実写動画であることを特徴とする請求項１から４のいずれか１項に記載の情報処理装置。
【請求項６】
前記情報処理装置は、プリンタ、複写機のいずれかであることを特徴とする請求項１から５のいずれか１項に記載の情報処理装置。
【請求項７】
画面を表示する表示手段を有する情報処理装置の制御方法であって、
前記表示手段に表示される画面の表示色をＲＧＢ反転する設定を行う設定工程と、
前記設定工程において画面の表示色をＲＧＢ反転する設定がされた場合、前記表示手段に表示される画面を構成する複数の要素のうち、実写動画でない第１の要素の表示色をＲＧＢ反転させて表示し、実写動画である第２の要素の表示色をＲＧＢ反転させずに表示する表示制御工程と、
を有することを特徴とする情報処理装置の制御方法。
【請求項８】
請求項７記載の情報処理装置の制御方法をコンピュータに実行させるためのプログラム。
【発明の詳細な説明】
【技術分野】
【０００１】
本発明は、パーソナルコンピュータや複合機等の情報処理装置、情報処理装置の制御方法及びプログラムに関する。
【背景技術】
【０００２】
パーソナルコンピュータや複合機等の情報処理装置では、ディスプレイやタッチパネル等に、静止画像や動画像を表示し、ユーザに情報を提示するものが知られている。
【０００３】
しかし、このような画像を表示する場合に、例えば、視力の弱いユーザや視覚障害者等の特定のユーザにとっては、自分が認識しづらい配色構成で画像が表示されると情報処理装置を快適に利用する事が困難となる場合がある。
【０００４】
そこで、これら特定のユーザに対応するため、入力部からの切り換え情報に応じた所定の配色画面を表示させるための画面情報を表示処理部で生成するものが提案されている（例えば、特許文献１参照）。
【先行技術文献】
【特許文献】
【０００５】
【特許文献１】特開２００５−１８２４６１号公報
【発明の概要】
【発明が解決しようとする課題】
【０００６】
しかしながら、表示するコンテンツによっては、特定のユーザにとって配色構成を切り換えただけでは、快適に操作できるようにはならない場合がある。
【０００７】
例えば、表示するコンテンツが実写などの、イラストと比べるとコントラストが弱い物の場合には、配色構成を切り換えても特定のユーザに認識し易くできにくい場合がある。さらに、表示するコンテンツが動画像等で静止画像と比べると一定期間の情報量が多いものの場合には、配色構成を切り換えても認識し易さを向上することが困難である。
【０００８】
本発明の目的は、アクセシビリティに関する設定に応じた表示となるように表示される要素毎に表現を切り換える。これにより、特定のユーザが快適に利用し易い表示を行えるようにした情報処理装置、情報処理装置の制御方法及びプログラムを提供することにある。
【課題を解決するための手段】
【００１０】
上記目的を達成するために、本発明の情報処理装置は、情報処理装置であって、画面を表示する表示手段と、前記表示手段に表示される画面の表示色をＲＧＢ反転する設定を行う設定手段と、前記設定手段によって画面の表示色をＲＧＢ反転する設定がされた場合、前記表示手段に表示される画面を構成する複数の要素のうち、実写動画でない第１の要素の表示色をＲＧＢ反転させて表示し、実写動画である第２の要素の表示色をＲＧＢ反転させずに表示する表示制御手段と、を有することを特徴とする。
【００１１】
上記目的を達成するために、本発明の情報処理装置の制御方法は、画面を表示する表示手段を有する情報処理装置の制御方法であって、前記表示手段に表示される画面の表示色をＲＧＢ反転する設定を行う設定工程と、前記設定工程において画面の表示色をＲＧＢ反転する設定がされた場合、前記表示手段に表示される画面を構成する複数の要素のうち、実写動画でない第１の要素の表示色をＲＧＢ反転させて表示し、実写動画である第２の要素の表示色をＲＧＢ反転させずに表示する表示制御工程と、を有することを特徴とする。
【発明の効果】
【００１２】
本発明によれば、アクセシビリティに関する設定がされている際に、表示される要素毎に表現を切り換えることにより、特定のユーザにも情報処理装置を快適に利用可能とする。
【図面の簡単な説明】
【００１３】
【図１】本発明の実施の形態に係る情報処理システムの全体構成説明図である。
【図２】本発明の実施の形態に係る情報処理装置のソフトウェア構成の説明図である。
【図３】本発明の実施の形態に係る情報処理システムで実行される画面の生成処理の手順を示すフローチャートである。
【図４】本発明の実施の形態に係る情報処理システムで実行される動画像の内容に応じた画面の生成処理の手順を示すフローチャートである。
【発明を実施するための形態】
【００１４】
以下、本発明の実施の形態について図面を参照しながら説明する。なお、以下の実施の形態は特許請求の範囲に係る発明を限定するものでなく、また実施の形態で説明されている特徴の組み合わせの全てが発明の解決手段に必須のものとは限らない。
【００１５】
（第１実施の形態）
本第１実施の形態に係る情報処理装置の全体構成を示す図１のブロック図で、１０２はＣＰＵである。このＣＰＵ１０２を含む制御部１０３は、ＣＰＵ１０２、ＲＯＭ１０４、ＲＡＭ１０５、ＨＤＤ１０６等を備え、情報処理装置１０１全体の動作を制御する。このＣＰＵ１０２は、ＲＯＭ１０４に記憶された制御プログラムを読み出して読取制御や画面表示制御などの各種制御を司る。
【００１６】
また、図１で１０５は、ＲＡＭであり、ＣＰＵ１０２の主メモリ、ワークエリア等の一時記憶領域として用いられる。図１に示すＨＤＤ１０６は、動画像データや各種プログラム、或いは各種設定値を記憶する。
【００１７】
図１に示す操作部Ｉ／Ｆ１０７は、操作部１０８と制御部１０３とを接続する。この操作部１０８は、ユーザからの指示を受ける入力部１０９と、画面を表示する液晶表示部１１０と複数個のハードキー等を備え、利用者が様々な操作を行うためのユーザインターフェースを提供する。
【００１８】
図１に示すネットワークＩ／Ｆ１１１は、制御部１０３（情報処理装置１０１）をＬＡＮ１１２に接続する。このネットワークＩ／Ｆ１１１は、ＬＡＮ１１２上の外部装置（例えば、別の情報処理装置）に、画面データや情報を送信したり、ＬＡＮ１１２上の外部装置から各種情報を受信したりする。
【００１９】
尚、情報処理装置は、ＰＣに限らず、プリンタや複写機、複合機等のコンピュータ周辺機器であってもよい。
【００２０】
次に、情報処理装置１０１の機能構成について、図２のブロック図を参照して説明する。この情報処理装置１０１が備える機能は、ＲＯＭ１０４に格納された制御プログラムをＣＰＵ１０２が実行することにより実現される。
【００２１】
図２に示す設定情報管理部２０１は、情報処理装置１０１の制御部１０３の制御に係る設定情報を管理する。管理される設定情報は、操作部１０８の液晶表示部１１０に表示する画面の生成処理方法を切り換える設定情報を含んでいる。例えば、白色で構成されている部分は黒色に変更し、黒色で構成されている部分は白色に変更するといった、画面の配色を別の色に置き換えるか否かを設定するＲＧＢ反転設定情報を管理する。この設定情報は、画面のコントラストを強くし、特定のユーザにとって画面を見やすくするための手段として用いることができる。
【００２２】
また例えば、この設定情報管理部２０１は、画面を構成する各要素をそれぞれ拡大したもので画面を構成するか否かを設定する拡大表示設定情報を管理する。この設定情報は、画面上の文字やボタンを大きくすることで、特定のユーザにとって画面を見やすくするための手段として用いることができる。
【００２３】
また例えば、この設定情報管理部２０１は、音声読み上げをするか否かを設定する音声読み上げ設定情報を管理する。この設定情報は、画面情報を音声情報に変換して出力するなどの、操作部１０８の液晶表示部１１０以外の手段でユーザに画面情報を伝えるか否かを設定するものである。
【００２４】
また例えば、この設定情報管理部２０１は、音声認識をするか否かを設定する音声認識設定情報を管理する。この設定情報は、操作部１０８の入力部１０９の代わりにユーザの音声情報を用いて、情報処理装置１０１を制御するための入力手段とするか否かを設定するものである。
【００２５】
また例えば、この設定情報管理部２０１は、画面のコントラストを強くするか否かを設定する高コントラスト設定情報を管理する。これと共にこの設定情報管理部２０１は、操作部１０８の液晶表示部１１０に表示する動画像データの再生速度を遅くするか否かを設定する動作再生速度設定情報を管理する。これらの設定情報は、特定のユーザにとって画面の操作をしやすくするための手段として用いることができる。
【００２６】
なお、本実施の形態では、障害者等の特定のユーザに情報処理装置１０１の操作をし易くさせるために設定するこれらの設定情報をまとめて、アクセシビリティ設定情報というものとする。アクセシビリティ設定情報に基づくアクセシビリティ設定を有効とするか無効とするかは、操作部１０８に表示される画面や、外部装置に表示される画面によって、ユーザが任意に設定可能となっている。
【００２７】
図２に示す要素種類管理部２０２は、画面を構成する要素の種類情報を管理する。例えば、要素種類管理部２０２は、動画像か否かを示す情報、実写か否かを示す情報等を管理する。
【００２８】
図２に示す要素表示方法管理部２０３は、画面を構成する各要素をどのような見せ方にするかの情報を管理する。
【００２９】
次に、情報処理装置１０１で実行する動画を含む画面の生成処理の手順について、図３のフローチャートを参照して説明する。なお、フローチャートで示す手順に係るプログラムは、制御部１０３のＲＯＭ１０４，ＲＡＭ１０５，ＨＤＤ１０６のいずれかの記憶手段に記憶され、ＣＰＵ１０２により実行される。
【００３０】
制御部１０３は、操作部１０８の液晶表示部１１０に表示している画面を更新する指示を受けるまで待機する（ステップＳ３０１でＮＯ）。制御部１０３は、操作部１０８から画面を更新する指示を受けると（ステップＳ３０１でＹＥＳ）この画面の生成処理を開始し、次のステップＳ３０２へ進んでアクセシビリティ設定が有効か無効かを判定する。ここで、制御部１０３は、ユーザの操作を受け付けた操作部１０８の入力部１０９が操作部Ｉ／Ｆ１１１を介して、制御部１０３にその受け付けた旨を送信したときに、画面を更新する指示があったと判断することができる。また、制御部１０３は、情報処理装置１０１の状態変化によって、状態が変更した旨を制御部１０３が受け付けたときに、画面を更新する指示があったと判断することができる。
【００３１】
次に、制御部１０３は、記憶手段に記憶されているアクセシビリティ設定が有効状態になっているか否かを判定する（ステップＳ３０２）。アクセシビリティ設定が有効になっていると判定した場合（ステップＳ３０２でＹＥＳ）に、ステップＳ３０３へ進む。アクセシビリティ設定が有効になっていないと判定した場合（ステップＳ３０２でＮＯ）は、ステップＳ３０６へ進む。
【００３２】
ステップＳ３０３に進んだ場合に、制御部１０３は、更新指示を受けて、生成しようとする画面に含まれる各構成要素が動画像であるか否かを判定する。構成要素が動画像であると判定した場合（ステップＳ３０３でＹＥＳ）には、要素の見せ方を決定するステップＳ３０４へ進む。構成要素が動画像ではないと判定した場合（ステップＳ３０３でＮＯ）には、ステップＳ３０５へ進む。
【００３３】
ステップＳ３０４に進んだ場合に、制御部１０３は、生成しようとする画面に含まれる動画像の再生速度を遅くする加工処理を実行する（ステップＳ３０４）。この加工処理は、設定情報管理部２０１に管理された動作再生速度設定情報を用いて実行される。そして、次のステップＳ３０６へ進む。尚、このステップＳ３０４の処理では、再生速度を遅くする処理としたが、アクセシビリティを変更する処理であれば、何であっても構わない。このステップＳ３０４の処理では、例えば、逆に再生速度を速くする処理又は画像のコントラストを強くする加工処理であっても良い。このステップＳ３０４の処理は、コントラストの強調具合は可変として、ユーザがコントラストの強さを任意に変更可能とする処理であっても構わない。また、このステップＳ３０４の処理は、動画像の各フレームのエッジを抽出し強調した動画像を再作成する処理などの動画像に対する加工処理であっても良い。また、このステップＳ３０４の処理は、動画像を別のイラスト画像に置き換える処理などの動画像以外の要素に切り換える処理であっても良い。また、このステップＳ３０４の処理は、動画像を白黒のイラストによるアニメーションに切り換える処理であっても良い。また、このステップＳ３０４の処理は、カラーの動画像に対し、白黒の動画像に加工する処理であっても良い。その他、様々な処理が考えられる。
【００３４】
次に、ステップＳ３０５に進んだ場合に、制御部１０３は、動画像ではない要素に対し、反転表示をするための色の反転処理を施して、ステップＳ３０６へ進む。この処理は、設定情報管理部２０１によって管理されたＲＧＢ反転設定情報を用いて実行される。尚、このステップＳ３０５の処理では、要素の色を反転する処理としたが、動画像の要素に対する処理（ステップＳ３０４）以外の処理であれば何であっても構わない。このステップＳ３０５の処理では、例えば、要素を拡大する処理又は何も処理を施さなくても良い。
【００３５】
次に、ステップＳ３０６で、制御部１０３は、前述した各要素で構成された画面の生成を行い、この画面の生成処理を終了する。
【００３６】
この情報処理装置１０１では、上述した画面の生成処理を実行することにより、動画像と動画像以外で、例えば障害者等の特定のユーザにとって見やすく、内容を認識し易いように、表示の仕方を変えることができる。よって、特定のユーザにとっても、認識しやすい画面を提供することができる。
【００３７】
（第２実施の形態）
次に、本発明に係る第２実施の形態に係る、情報処理装置で行われる、内容対応式の画面の生成処理の手順ついて、図４のフローチャートを参照して説明する。本第２実施の形態では、前述した第１実施の形態で画面を構成する要素の種類によって表示を切り換えるのに対して、さらに同じ要素の種類であっても表示内容の違いによって、表示を切り換える処理を行う。
【００３８】
なお、本第２実施の形態に係る情報処理装置では、制御部１０３が、ＣＰＵ１０２、ＲＯＭ１０４、ＲＡＭ１０５、ＨＤＤ１０６等で構成されている。さらに、この情報処理装置では、図４のフローチャートで示す手順が制御部１０３のＲＯＭ１０４，ＲＡＭ１０５，ＨＤＤ１０６のいずれかの記憶手段に記憶され、ＣＰＵ１０２により実行される。
【００３９】
制御部１０３は、操作部１０８の液晶表示部１１０に表示している画面を更新する指示を受けるまで待機する（ステップＳ４０１でＮＯ）。制御部１０３は、操作部１０８から画面を更新する指示を受けると、次のステップＳ４０２へ進む（ステップＳ４０１でＹＥＳ）。
【００４０】
次に、制御部１０３は、記憶手段に記憶されているアクセシビリティ設定が有効状態になっているか否かを判定する（ステップＳ４０２）。アクセシビリティ設定が有効になっていると判定した場合（ステップＳ４０２でＹＥＳ）に、ステップＳ４０３へ進む。アクセシビリティ設定が有効になっていないと判定した場合（ステップＳ４０２でＮＯ）は、ステップＳ４０８へ進む。
【００４１】
ステップＳ４０３に進んだ場合に、制御部１０３は、更新指示を受けて、生成しようとする画面に含まれる各構成要素が動画像であるか否かを判定する。構成要素が動画像であると判定した場合（ステップＳ４０３でＹＥＳ）には、ステップＳ４０５へ進む。構成要素が動画像ではないと判定した場合（ステップＳ４０３でＮＯ）には、ステップＳ４０４へ進む。
【００４２】
ステップＳ４０５へ進んだ場合に、制御部１０３は、動画像が見せ方を変更する対象条件に該当するか否かを判定する。制御部１０３は、変更対象であると判定した場合（ステップＳ４０５でＹＥＳ）にステップＳ４０６へ進む。制御部１０３は、変更対象ではないと判定した場合（ステップＳ４０５でＮＯ）に、ステップＳ４０７へ進む。このステップＳ４０５では、動画が何を再生するのかといった動画の表示内容に基づいて判定を行う。例えば制御部１０３は、情報処理装置１０１がエラー状態になった時に、その解決方法を示す表示内容の動画像の場合に変更対象であると判定し、それ以外の動画像の場合に、変更対象ではないと判定する。なお図示しないが制御部１０３は、動画像の中身が変更対象かどうかについて記憶部に予め保持されている設定情報に基づいて要素の内容情報を判定する。
【００４３】
次に、ステップＳ４０６へ進んだ場合に、制御部１０３は、生成しようとする画面に含まれる動画像の再生速度を最も遅くする加工処理を実行して、次のステップＳ４０８へ進む。
【００４４】
ステップＳ４０７へ進んだ場合に、制御部１０３は、生成しようとする画面に含まれる動画像の再生速度を中速にする加工処理を実行してステップＳ４０８へ進む。
【００４５】
ステップＳ４０８へ進んだ場合に、制御部１０３は、前述した各要素で構成された画面の生成を行う。
【００４６】
この情報処理装置１０１では、上述した内容対応式の画面の生成処理を実行してエラー状態の解決方法を示す動画像を生成する場合に、再生速度を最も遅くする加工処理を行って、ユーザが表示内容をよく理解できるようにする。
【００４７】
また、この情報処理装置１０１では、エラー状態の解決方法を示す動画像でない場合に、その動画の中身に重要性が高くないので再生速度を中速にする加工処理を行うことにより、動画像の再生が終了する時間を短くする。これにより、この情報処理装置１０１では、ユーザが情報処理装置を占有し続ける時間を短くして、他のユーザが、この後に情報処理装置１０１を早く使えるようにする。
【００４８】
なお、上述した内容対応式の画面の生成処理を実行する情報処理装置１０１では、ステップＳ４０５にて、情報処理装置１０１のエラー状態の解決方法を示す動画か否かで処理を変える例について説明した。しかしながら、この情報処理装置１０１で実行する内容対応式の画面の生成処理では、実行動画の中身がエラー状態の解決方法を示す動画であることに限定されず、他の区別で処理を変えても良い。
【００４９】
例えば、この情報処理装置１０１では、情報処理装置１０１の操作の仕方を示す内容の動画像か否かで処理を変えるように構成しても良い。この情報処理装置１０１では、広告や企業ロゴなどの宣伝を示す内容の動画像か否かで処理を変えるように構成しても良い。この情報処理装置１０１では、予め記憶手段に記憶されている動画像か否かで処理を変えるように構成しても良い。
【００５０】
なお、この情報処理装置１０１では、ステップＳ４０６とステップＳ４０７にて、動画像の再生速度を変更する加工処理を行う例について説明した。しかし、加工処理方法は、前述の手段に限定されるものではなく、ステップＳ４０６とステップＳ４０７で別の処理を、別の手段で行うように構成しても良い。この場合には、例えば、再生速度を速くする加工処理又は動画像のコントラストを強くする加工処理であっても良い。この場合には、コントラストの強調具合を可変とし、ユーザがコントラストの強さを変更可能とした構成であっても良い。
【００５１】
また、この情報処理装置１０１では、動画像の各フレームのエッジを抽出し強調した動画像を再作成する処理などの動画像に対する加工処理であっても良い。また、この情報処理装置１０１では、ステップＳ４０６において、動画像を別のイラスト画像に置き換える処理を行い、ステップＳ４０７で処理を行わないようにする。このように、ステップＳ４０６とステップＳ４０７とで別の処理を行うように構成しても良い。このように構成した場合には、例えば、動画像と置き換えるイラスト画像について、全ての動画像分を記憶手段に予め用意しておかなくてもよくなるので記憶手段に記憶しておくデータ量を削減でき、余った領域を他の処理に利用可能となる。
【００５２】
この情報処理装置１０１で上述した内容対応式の画面の生成処理を実行する場合には、動画像の中身に応じて見せ方を変更することができるので、ユーザが認識しやすい画面を提供することができる。
【００５３】
なお、上述した情報処理装置１０１で実行する内容対応式の画面の生成処理では、動画を含む画面について述べたが、実写画像（実写の静止画、又は実写の動画）を含む画面としても良い。この場合には、実写と実写以外の要素で見せ方を変えることで、ユーザが認識しやすい画面を提供することができる。
【００５４】
また、上述した情報処理装置１０１では、図２に示す設定情報管理部２０１が情報処理装置１０１内に含まれる構成について説明したが、ネットワークＩ／Ｆ１１１を介して、ＬＡＮ１１２に接続された外部装置上の記憶手段にこれらを記憶するようにしてもよい。そして、図３や図４に示す全て又は一部のステップをこの外部装置で行うように構成してもよい。
【００５５】
また、本発明は、以下の処理を実行することによっても実現される。すなわち、上述した実施の形態の機能を実現するソフトウェア（プログラム）を、ネットワーク又は各種記録媒体を介してシステム又は装置に供給する。そして、そのシステム又は装置のコンピュータ（ＣＰＵ若しくはＭＰＵ等）は、プログラムを読み出してその処理を実行する。
【符号の説明】
【００５６】
１０１  情報処理装置
１０２  ＣＰＵ
１０８  操作部
１０９  入力部
１１０  液晶表示部
【図１】
0005783740.tif 000002
【図２】
0005783740.tif 000003
【図３】
0005783740.tif 000004
【図４】
0005783740.tif 000005